(57)【要約】【課題】複数のアンテナケーブルとプリント回路基板との間の電気信号の受け渡しを行うダイバーシティ受信機用基板コネクタにおいて、部品点数の削減および組み立て工数の低減を可能とし、さらに、小型化ならびにプリント回路基板に対する専有面積の縮小化をも可能とするダイバーシティ受信機用基板コネクタを提供すること。【解決手段】アンテナケーブル５０とプリント回路基板４０との間の電気信号を受け渡す役割を担う内導体端子１１，１３を誘電体１２，１４を介して外導体端子２０内に収容してなるシールド端子１０をハウジング３０内に収容したダイバーシティ受信機用基板コネクタにおいて、外導体端子２０を、内導体端子１１，１３を誘電体１２，１４を介して複数収容可能とし、隣接する内導体端子１１，１３同士を電磁的に遮蔽する遮蔽部を備えたものとする。【選択図】　図１
2004055203.tif 000002
【特許請求の範囲】
【請求項１】
複数本のアンテナケーブルとプリント回路基板との間を電気的に接続するダイバーシティ受信機用基板コネクタにおいて、
前記アンテナケーブルが接続されたケーブル端子に接続されるケーブル側接続部とプリント回路基板に接続される基板側接続部とを有する内導体端子と、内導体端子を覆う誘電体と、誘電体を覆うと共に内導体端子を電磁的に遮蔽する外導体端子とを備えたシールド端子をハウジング内に収容してなるものであって、
前記外導体端子には、前記内導体端子が複数収容され、隣接する内導体端子間を電磁的に遮蔽する遮蔽部が一体に設けられていることを特徴とするダイバーシティ受信機用基板コネクタ。
【請求項２】
前記内導体端子は、ケーブル側接続部と基板側接続部とが略直角の関係にあり、前記ケーブル側接続部がプリント回路基板面に対して略平行に配向されると共に前記基板側接続部がプリント回路基板面に対して略垂直に配向された状態でこの回路基板に接続されるように、前記誘電体を介して前記外導体端子内にプリント回路基板面に対して略垂直な方向に複数収容されていることを特徴とする請求項１に記載のダイバーシティ受信機用基板コネクタ。
【請求項３】
前記誘電体は、前記内導体端子のケーブル側接続部を挿通可能とする挿通部を複数備えており、隣接する挿通部間に前記外導体端子の遮蔽部を差込挿入可能とする差込部が設けられていることを特徴とする請求項１又は２に記載のダイバーシティ受信機用基板コネクタ。
【発明の詳細な説明】
【０００１】
【発明の属する技術分野】
本発明は、ダイバーシティ受信機用基板コネクタに関し、更に詳しくは、複数本のアンテナケーブルとプリント回路基板とを電気的に接続する中継的な役割を担うものであって、アンテナケーブルの端末部が接続されるケーブル端子とプリント回路基板との間の電気信号を伝送する内導体端子とこの内導体端子を電磁的に遮蔽する外導体端子と両端子間を絶縁状態で保持する誘電体とを備えたシールド端子をハウジング内に配設してなるダイバーシティ受信機用基板コネクタに関する。
【０００２】
【従来の技術】
近年、カーナビゲーションシステム等の普及に伴い、自動車のような移動によって電波の受信状態が刻々と変化する環境においても常に良好な受信状態が得られる受信装置が求められている。このように受信状態に変化を伴う車載用途の受信装置においては、一般に、複数のアンテナで電波を同時に受けて、電波を強く受信したアンテナを選択して使用可能とするダイバーシティ受信の方法が採用されている。
【０００３】
このようなダイバーシティ受信用として、アンテナと受信装置との間を電気的に接続する接続装置（ダイバーシティ受信機用コネクタ）としては、例えば、特開平８−２６４２３３号公報に示されているものが知られている。この公報に示されているダイバーシティ受信機用コネクタは、電波を受信するメインとサブの２つのアンテナと、受信機を構成する集積回路を備えたプリント回路基板とをつなぐ中継的な役割を果たすコネクタであって、それぞれのアンテナのホット側端子との接続部を担うメインホット切片とサブホット切片とを備えている。これらのアンテナのコネクタへの接続は、各アンテナのホット側端子を対応するメイン又はサブホット切片を個々に組み付けることによってなされる。
【０００４】
【発明が解決しようとする課題】
しかしながら、前述のようなダイバーシティ受信機用のコネクタは、複数本のアンテナをそれぞれ別々にコネクタに組み付ける構造であるため、接続されるアンテナ（ケーブル）の数が多くなるほど組付工程は増加し、組付作業の効率化を妨げる要因となっていた。また、複数本のアンテナケーブルと接続されるいわゆる多極型のコネクタは、各アンテナケーブルとの接続部を個々に遮蔽するためにケーブル数に対応するだけのシールド端子を配設させなければならず、これらシールド端子を一定間隔をおいて配設させるためのスペースも必要となる。このため、アンテナ（ケーブル）数が増えるほどコネクタの部品点数が増加すると共に、コネクタが大型化するといった問題があった。これに対して、シールド端子の収容スペースを縮小するために、１つの外導体端子内に複数の内導体端子を誘電体を介して収容すると共に各内導体端子間を電磁的に仕切る遮蔽部材を介在させる構造を有するコネクタも考えられるが、遮蔽部材を別部品として組み付けることが必要となるため、部品点数および組立工数が増大し、作業の効率化が図れないといった問題があった。
【０００５】
ところで、このようなダイバーシティ受信機用のコネクタは受信機を構成する集積回路を備えたプリント回路基板との接続が必要となるが、コネクタが大型化するほどコネクタのプリント回路基板に対する専有面積が大きくなり、その分信号パターンや電子素子などの配設スペースを削るか、プリント回路基板自体を大型化させる必要があった。特に、アンテナケーブルに接続されるシールド端子がプリント回路基板面に対して横方向に配設されるコネクタの場合には、プリント回路基板に対する専有面積の増大化は大きな問題であった。
【０００６】
本発明の解決しようとする課題は、部品点数の削減および組立工数の低減を行うことができると共に、小型化ならびにプリント回路基板に対する専有面積の縮小化をも図ることが可能なダイバーシティ受信機用基板コネクタを提供することである。
【０００７】
【課題を解決するための手段】
この課題を解決するために本発明に係るダイバーシティ受信機用基板コネクタは、請求項１に記載のように、複数本のアンテナケーブルとプリント回路基板との間を電気的に接続するものにおいて、前記アンテナケーブルが接続されたケーブル端子に接続されるケーブル側接続部とプリント回路基板に接続される基板側接続部とを有する内導体端子と、内導体端子を覆う誘電体と、誘電体を覆うと共に内導体端子を電磁的に遮蔽する外導体端子とを備えたシールド端子をハウジング内に収容してなるものであって、前記外導体端子には、前記内導体端子が複数収容され、隣接する内導体端子間を電磁的に遮蔽する遮蔽部が一体に設けられていることを要旨とする。
【０００８】
このように、本発明に係るダイバーシティ受信機用基板コネクタは、シールド端子の外殻を構成する外導体端子が、複数の内導体端子を収容可能とするものであれば、ハウジング内におけるシールド端子の収容スペースが１つで済むので、内導体端子を外導体端子によって１つずつ遮蔽してなるシールド端子をハウジング内に複数収容する従来型のコネクタのように隣接するシールド端子間を隔てるための隔壁を設ける必要がなく、コネクタ全体の小型化を図ることができる。
【０００９】
また、外導体端子が、収容される複数の内導体端子間を電磁的に遮蔽するための遮蔽部を一体に設けてなるものであれば、遮蔽部が別部材から成るコネクタのように、遮蔽部を外導体端子に別途組み付ける作業を必要としないので、部品点数の削減及び組立工数の低減を図ることができる。
【００１０】
この場合に、請求項２に記載のように、前記内導体端子が、ケーブル側接続部と基板側接続部とが略直角の関係にあり、前記ケーブル側接続部がプリント回路基板面に対して略平行に配向されると共に前記基板側接続部がプリント回路基板面に対して略垂直に配向された状態でこの回路基板に接続されるように、前記誘電体を介して前記外導体端子内にプリント回路基板面に対して略垂直な方向に複数収容されていることが好ましい。このように構成されておれば、１つには、シールド端子をプリント回路基板面に対して横方向に配設させてなる従来型のコネクタと比べて、プリント基板面に対する専有面積が縮小されるので、その縮小可能なスペースに信号パターンや電子素子等を配設させることによってプリント回路基板の小型化を図ることが可能となる。また１つには、プリント回路基板の大きさはそのままに、縮小可能な専有面積分だけプリント回路基板面上に配設される配線回路の専有面積を増大化させることが可能となる。
【００１１】
また、請求項３に記載のように、前記誘電体が、前記内導体端子のケーブル側接続部を挿通可能とする挿通部を複数備えており、隣接する挿通部間に前記外導体端子の遮蔽部を差込挿入可能とする差込部が設けられているものであれば、複数の内導体端子とこれらを遮蔽する外導体端子とが、一体部材として構成される誘電体によって一括して絶縁保持されるので、内導体端子の配設数に応じてそれと同数の誘電体を備えてなる従来のコネクタのように、誘電体を外導体端子内に個々に収容する手間が省かれ、部品点数の削減及び組立工数の低減を図ることができる。
【００１２】
【発明の実施の形態】
以下に本発明の実施の形態に係るダイバーシティ受信機用基板コネクタについて、図１〜図１５を用いて詳細に説明する。なお、本実施の形態に係るダイバーシティ受信機用基板コネクタは、２本のアンテナケーブルと接続されるいわゆる「２極型」とした。これは、通常用いられているダイバーシティ受信機用のコネクタが、メインとサブの２つのアンテナ（アンテナケーブル）とプリント回路基板との接続に用いられているためである。
【００１３】
（第１の実施の形態）
本発明の第１の実施の形態に係るダイバーシティ受信機用基板コネクタを、図１に分解斜視図として示す。以下、本実施の形態の説明においては、後述する相手側コネクタ１００（以下、「ケーブル側コネクタ１００」と称する）との接続側を「前側」とし、図１に示す向きによって上下左右の関係を表している。本実施の形態に係るダイバーシティ受信機用基板コネクタ１（以下、「基板コネクタ１」と称する）は、大きさの異なる２つの略直角型の内導体端子１１，１３が誘電体１２，１４を介して外導体端子１５内に収容されてなるシールド端子１０をハウジング３０内に配設させたものである。シールド端子１０の一端側は、図１中では図示しないアンテナケーブル５０が接続されたケーブル側コネクタ１００に接続され、他端側は、同じく図１中では図示しないプリント回路基板４０に接続される。以下に、基板コネクタ１の構成について詳細に説明する。
【００１４】
内導体端子１１，１３は、板状の導電性材料から形成されており、一端側が後述するアンテナケーブル５０が接続されたケーブル端子１１０に接続されると共に、他端側が後述するプリント回路基板４０に接続され、アンテナケーブル５０、プリント回路基板４０間の電気信号を直接的に受け渡す役割を担う。この内導体端子１１，１３は、略直角の関係にあるケーブル側接続部１１ａ，１３ａと基板側接続部１１ｂ，１３ｂとからなる。ケーブル側接続部１１ａ，１３ａはケーブル側コネクタ１００を構成する内導体端子１１１と嵌合接続され（図１１参照）、基板側接続部１１ｂ，１３ｂは後述するプリント回路基板４０のスルーホール４１ａに嵌め込まれて基板面上の信号パターン４２とハンダ接続される（図９参照）。
【００１５】
誘電体１２，１４は、絶縁性の樹脂材料等により形成されており、内導体端子１１，１３と後述する外導体端子２０とを絶縁状態に保持する役割を担う。これら誘電体１２，１４は、図１及び図６に示すように、一端側を開放する収容部１２ａ，１４ａを備え、この開放部から内導体端子１１，１３が挿入される。また、この収容部１２ａ，１４ａから前後方向に貫通する挿通孔１２ｂ，１４ｂが設けられ、内導体端子１１，１３のケーブル側接続部１１ａ，１３ａが挿入される。また、上側に配設される誘電体１４の上面には、前後に段差のある溝部１４ｃが設けられている。
【００１６】
外導体端子２０は、板状の導電性材料からなり、誘電体１２，１４の周囲を覆うと共に内導体端子１１，１３を電磁的に遮蔽する役割を担う。この外導体端子２０は、図２に示す展開図状に打抜きプレスした板状体を折り曲げ加工して形成されたものである。また、この外導体端子２０の展開図において、破線が折曲げ加工時の「山折り」線（紙面に対して奥行側への折曲げ）を、一点鎖線が折曲げ加工時の「谷折り」線（紙面に対して手前側への折曲げ）をそれぞれ示している。なお、この展開図の折曲げは、図２中に示した＜＞内の数字の順番に従って行う。
【００１７】
一方、この展開図から折曲げ形成されてなる外導体端子２０は、図１に示すように、前後方向に延設される嵌合部２０Ａと、この嵌合部２０Ａの後部から下方に延設される基板組付部２０Ｂとから構成されている。嵌合部２０Ａ先端の開口部には、後述するケーブル側コネクタ１００を構成するケーブル端子１１０が嵌め込まれ、基板側組付部２０Ｂの下端部は、プリント回路基板４０へと組み付けられる。
【００１８】
以下に、外導体端子２０の構成を、図１中の折曲げ形成体及び図２に示した展開図を参照しながら説明する。嵌合部２０Ａの上下壁面２２，２４及び左右壁面２１，２３には、嵌合される相手側のケーブル端子１１０の外周面に弾性接触可能とする接触部２１ａ，２２ａ，２３ａ，２４ａが内側に突設されている。また、嵌合部２０Ａの上壁面２２後部には、係止部２２ｂが内側に突設されている。この係止部２２ｂは、上段側に収容される誘電体１４の溝部１４ｃの段差部に係合することで誘電体１４を抜脱不能に係止する役割を担う。また、係止部２２ｂの一側の延長上にはスタビライザ２２ｃが形成されており、後述する側片２７に延設されるスタビライザ２７ｃと対をなし、基板側ハウジング３０内の嵌合溝３１ａに挿入される（図８参照）。また、スタビライザ２２ｃの直下にはランス２１ｄが外側に突設されており、同じく側片２７に突設されるランス２７ｄと対をなし、後述する基板側ハウジング３０内のランス係合部３１ｂに嵌合される。
【００１９】
嵌合部２０Ａ及び基板組付部２０Ｂの一側壁面２３の後部には、遮蔽部２５が形成されており、誘電体１２，１４を介して収容される２つの内導体端子１１，１３同士を電磁的に遮蔽する役割を担う。この遮蔽部２５は、誘電体１２，１４を前後に仕切る起立片２５ａと、誘電体１２，１４を上下に仕切る水平片２５ｂと、突起２５ｃとから構成されている。突起２５ｃは、一側壁面２１に形成される係止孔２１ｃに嵌合係止される。
【００２０】
また、嵌合部２０Ａの上壁面２２後端には、外導体端子２０の後面開放部を閉塞する折曲げ片２６が設けられている。折曲げ片２６と上壁面２２との結合部には、左右両端縁から切り込みが形成され折曲げ作業の容易化を図っている。さらに、折曲げ片２６には側片２７が延設されており、この側片２７は前述の遮蔽部２５の折曲げによって開放状態となる一側壁面２３の後部を閉塞する役割を担う。また、折曲げ片２６と側片２７との相対する一側端縁には、係合片２６ａ，２７ａが外向きに延設され、さらに係合片２６ａ，２７ａには、基板組付部２０Ｂの左右壁面２１，２３に接触する係合突部２６ｂ，２７ｂが内側に設けられている。この係合突部２６ｂ，２７ｂは、両側壁面２１，２３に形成される嵌合孔２１ｂ，２３ｂに嵌合係止される。
【００２１】
また、側片２７の長手方向の一側端縁にはスタビライザ２７ｃが延設され、さらにスタビライザ２７ｃの近傍にはランス２７ｄが外側に突設されている。また、側片２７の長手方向の他側端縁及び基板組付部２０Ｂの一側壁面２１の下端には、対からなる接地用タブ２７ｅ，２１ｅが突設されており、後述するプリント回路基板４０のグランドパターン４３に接続される（図９参照）。また、一側壁面２１には、前面部２１ｆ及び補強部２１ｇが延設されており、前面部２１ｆは基板組付部２０Ｂの前面の開放部を閉塞し、補強部２１ｇは嵌合部２０Ａの下壁面２４の下から添え当てて嵌合部２０Ａを補強する役割を担う。
【００２２】
ハウジング３０は、絶縁性の樹脂材料等から形成されており、上述の内導体端子１１，１３と誘電体１２，１４と外導体端子２０とを組み付けてなるシールド端子１０を保持する役割を担う。このハウジング３０には、図４に示すように、収容部３１が前後方向に貫通して設けられており、シールド端子１０が嵌合収容される。この収容部３１の左右壁面には後端側から嵌合溝３１ａが形成されており、外導体端子２０のスタビライザ２２ｃ，２７ｃが嵌合される。また、収容部３１の左右壁面にはランス係合部３１ｂが凹状に設けられており、外導体端子２０のランス２１ｄ，２７ｄが嵌合される。また、ランス係合部３１ｂの延長上にある収容部３１の左右壁面端縁には導入溝３１ｃが設けられており、ランス２１ｄ，２７ｄの導入を容易化させる。
【００２３】
また、収容部３１の前方には、前面が開口された嵌合部３２が設けられており、後述するケーブル側コネクタ１００が嵌合収容される。この嵌合部３２の前方上端縁にはストッパ３２ａが突設されており、ケーブル側コネクタ１００を抜脱不能に係止可能とする。また、ハウジング３０後方の左右外壁面には、図５に示すように、上下方向に貫通するネジ取付孔３３ａを備えた取付部３３が突設されており、後述する組付ネジＳをネジ取付孔３３ａに挿通させてプリント回路基板４０にネジ留めすることによってハウジング３０がプリント回路基板４０上に固定保持される。
【００２４】
以下に、上記部材からなる基板コネクタ１を組み付ける工程について説明する。初めに、展開図状の外導体端子２０を図１に示した状態へと折曲げ形成する工程について、図２及び図３を参照して説明する。
【００２５】
まず、図２に示す前面部２１ｆを折曲げ線＜１＞に沿って内側（山折り）に折り曲げ、次いで、折曲げ線＜２＞及び折曲げ線＜３＞に沿って両側壁面２１，２３を上壁面２２を介して内側（山折り）に折り曲げることにより、前面部２１ｆの先端部を基板側組付部２０Ｂの一側側壁２３の端縁に当接させる。次に、嵌合部２０Ａの下壁面２４を折曲げ線＜４＞に沿って内側（山折り）に折り曲げた後、補強部２１ｇを折曲げ線＜５＞に沿って内側（山折り）に折り曲げて嵌合部２０Ａの下壁面２４の下側に添え当てることによって嵌合部２０Ａが枠状に形成する（図３（ｂ）及び（ｃ）参照）。次に、側片２７に延設されるスタビライザ２７ｃを折曲げ線＜６＞に沿って上方（谷折り）に略直角に折り曲げることにより、図１に示した外導体端子２０の折曲げ形成体が得られる。
【００２６】
次に、上記外導体端子２０の折曲げ形成体を用いてシールド端子１０を組み付ける工程を図６及び図７を参照して説明する。まず、内導体端子１１，１３を誘電体１２，１４の後方から収容部１２ａ，１４ａへと押し込み、ケーブル側接続部１１ａ，１３ａを挿通部１２ｂ，１４ｂへと挿通させる（図６（ａ）参照）。基板側接続部１１ｂ，１３ｂが収容部１２ａ，１４ａの内壁に当接するまで押し込むと、ケーブル側接続部１１ａ，１３ａと基板側接続部１１ｂ，１３ｂのそれぞれの先端が誘電体１２，１４から突出して、内導体端子１１，１３の組み付けが完了する（図６（ｂ）及び図７（ａ）参照）。
【００２７】
これらの組付体の内、下段側に収容される組付体１１，１２（内導体端子１１と誘電体１２とからなる組付体）を、先に外導体端子２０の後方から挿入する（図６（ｂ）参照）。なお、外導体端子２０の折曲げ片２６及び側片２７は水平方向に維持され、嵌合部２０Ａ及び基板組付部２０Ｂの後面が開放されている。組付体１１，１２を外導体端子２０の所定位置まで押し込んだ後、外導体端子２０の起立片２５ａを折曲げ線＜７＞に沿って内側（山折り）に折り曲げて誘電体１３の後端に当接させ、さらに水平片２５ｂを折曲げ線＜８＞に沿って内側（山折り）に折り曲げて誘電体１３の上端に当接させる（図６（ｃ）及び図７（ｂ）参照）。このとき、遮蔽部２５の突起２５ｃが係止孔２１ｃに係止されることにより、組付体１１，１２が抜脱不能に係止される。
【００２８】
この状態で、上段側に収容される他方の組付体１３，１４（内導体端子１３と誘電体１４とからなる組付体）を、同じく外導体端子２０の後方から挿入する。この組付体１３，１４を押し込むと、誘電体１４の前方の突出部が嵌合部２０Ａの上壁面２２と遮蔽部２５の水平片２５ｂとの間に嵌め込まれると共に、嵌合部２０Ａの係止部２２ｂが溝部１４ｃの段差部に係合され誘電体１４の抜脱が阻止される（図６（ｄ）及び図７（ｃ）参照）。
【００２９】
そして、折曲げ線＜９＞及び折曲げ線＜１０＞に沿って係合片２６ａ及び側片２７を内側（山折り）に折り曲げると共に、折曲げ線＜１１＞に沿って折曲げ片２６を内側（山折り）に折り曲げて、誘電体１４の後面側の開放部を閉塞する。このとき、係合片２６ａ，２７ａの係合突部２６ｂ，２７ｂが基板組付部２０Ｂの係合孔２１ｂ，２３ｂに係合され、誘電体１２，１４がさらに抜け止めされる（図７（ｄ）参照）。以上の工程により、シールド端子１０の組み付けが完了する。
【００３０】
次に、上記工程により得られたシールド端子１０を、図８（ａ）に示すように、ハウジング３０の収容部３１へと押し込む。このとき、シールド端子１０のスタビライザ２２ｃ，２７ｃが収容部３１の嵌合溝３１ａに嵌入されると共に、ランス２１ｄ，２７ｄがランス係合部３１ｂにそれぞれ嵌合されることによって、シールド端子１０がその先端部を収容部３１の前方へと突出させた状態で抜脱不能に係止される（図８（ｂ）参照）。以上により、本実施の形態に係る基板コネクタ１が得られる。
【００３１】
こうして得られた基板コネクタ１をプリント回路基板４０に組み付けする工程について、図９を参照して説明する。まず、ハウジング３０の下端から突出する内導体端子１１，１３の基板側接続部１１ｂ，１３ｂと外導体端子２０の接地用タブ２１ｅ，２７ｅとをプリント回路基板４０のスルーホール４１ａに挿通させる。このとき、ハウジング３０の取付部３３のネジ取付孔３３ａがプリント回路基板４０上に形成されるネジ穴４４と相重なる。次いで、組付ネジＳをネジ取付孔３３ａとネジ穴４４に挿通させプリント回路基板４０にネジ止めすることによって、基板コネクタ１がプリント回路基板４０上に固定保持される。次いで、スルーホール４１ａ，４１ｂに挿通された基板側接続部１１ｂ，１３ｂ及び接地用タブ２１ｅ，２７ｅをプリント回路基板４０の表裏両面側からハンダ付けすることによって、基板側接続部１１ｂ，１３ｂが信号パターン４２に接続されると共に、接地用タブ２１ｅ，２７ｅがグランドパターン４３に接続される。以上の工程により、コネクタ１のプリント回路基板４０への組付が完了し、基板コネクタ１とプリント回路基板４０とが電気的に接続され両者間で電気信号の受け渡しが可能となる。
【００３２】
次に、上記基板コネクタ１に接続されるケーブル側コネクタ１００の構成について説明する。ケーブル側コネクタ１００としては、例えば、図１０に示すものが挙げられる。このケーブル側コネクタ１００は、ダイバーシティ受信用のアンテナケーブル５０の芯線５１と接続されるメス型の内導体端子１１１と、内導体端子１１１を覆う外導体端子１１３と、両端子１１１，１１３間を絶縁保持する誘電体１１２とを備えるケーブル端子１１０をケーブル側ハウジング１２０内に複数配設させてなるものである。
【００３３】
ケーブル側コネクタ１００の組付工程について簡単に説明する。まず、アンテナケーブル５０の芯線５１と接続された内導体端子１１１を、予め外導体端子１１３を装着しておいた誘電体１１２の収容部１１２ａに収容し、次いで、外導体端子１１３の後端側に設けられる編組バレル１１３ｃによってアンテナケーブル５０の絶縁外被５４側に折り返された編組線５３の周面をかしめ接続することによりアンテナケーブル５０とケーブル端子１１０とを組み付ける。次に、このケーブル端子１１０をケーブル側ハウジング１２０の収容部１２１内へと挿入する。この際に、外導体端子６３に突出状に設けられるスタビライザ１１３ｂを収容部１２１の両側側壁に形成される嵌合溝１２１ａに嵌め入れて、ケーブル端子６０を奥行き方向に押し込む。次に、ケーブル側ハウジング１２０の下壁面から収容部１２１に連通して設けられる差込溝１２２にリテーナ１３０を押し込んで、スタビライザ１１３ｂの後端に当接させることにより、ケーブル端子１１０を抜脱不能に係止する。以上により、ケーブル側コネクタ１００の組付作業が完了する。
【００３４】
得られたケーブル側コネクタ１００を、図１１に示すように、基板コネクタ１の嵌合部２２へと嵌め入れる。このとき、ケーブル端子１１０がシールド端子１０に嵌合接続されると共に、ロック部１２３のストッパ１２３ａが基板側ハウジングのストッパ３２ａに係止されることにより基板コネクタ１とケーブル側コネクタ１００との接続が完了する。
【００３５】
本実施の形態に係るダイバーシティ受信機用基板コネクタは、アンテナケーブルとプリント回路基板との間の電気信号を受け渡す役割を担う内導体端子が、１つの外導体端子内に複数収容される構造を有しているので、内導体端子が外導体端子内に１つずつ収容される場合と比べて外導体端子間を隔てるための隔壁（スペース）が不要となり、基板側ハウジングにおける外導体端子の収容スペースを小さくすることができる。
【００３６】
また、外導体端子が一枚の導電性材料を折曲げ加工することによって形成され、収容される複数の内導体端子間を電磁的に遮蔽するための遮蔽部を予め一体に備えているので、遮蔽部が別部材として構成されている場合と比べて部品点数の削減やコネクタの加工工数の低減を図ることができる。
【００３７】
また、本実施の形態に係るダイバーシティ受信機用基板コネクタは、略直角型構造を有する複数の内導体端子をプリント回路基板面に対して略垂直の方向（縦方向）に配設させてなるものであり、基板面に対して横方向に配設させてなる場合と比べて、プリント回路基板に対する専有面積を小さくすることができる。
【００３８】
（第２の実施の形態）
本発明の第２の実施の形態に係るダイバーシティ受信機用基板コネクタについて、図１２〜図１５を参照して説明する。本実施の形態に係るダイバーシティ受信機用基板コネクタ１（以下、「基板コネクタ１」と称する）は、誘電体１５の構造に特徴を有する。この基板コネクタ１を構成する誘電体１５は、絶縁性の樹脂材料等により形成されており、図１２（ａ）に示すように、２つの内導体端子を一括して収容することができる構造を有している。以下に示す本実施の形態の説明においても、図示しないケーブル側コネクタとの接続側を「前側」とし、図１２に示す向きによって上下左右の関係を表している。以下に、この誘電体１５の構成について説明する。なお、本実施の形態に係るダイバーシティ受信機用基板コネクタ１を構成するその他の部材については、第１の実施の形態に示したものと同じであるため説明は省略する。
【００３９】
この誘電体１５は、図１２（ｂ）に示すように、一端側を開放する収容部１５ａ，１５ｂを上下に備え、この開放部から内導体端子１１，１３が挿入される。また、収容部１５ａ，１５ｂから前後方向に貫通する挿通孔１５ｃ，１５ｄが設けられており、内導体端子１１，１３のケーブル側接続部１１ａ，１３ａが挿入される。また、両収容部１５ａ，１５ｂ間の後端側には差込部１５ｅが形成されており、外導体端子２０の遮蔽部２５が挿入される。また、誘電体１５の上面には、前後に段差を有する溝部１５ｆが設けられ、この溝部１５ｆには嵌合部２０Ａの係止部２２ｂが係合される。
【００４０】
次に、上記誘電体１５から構成されるシールド端子１０を組み立てる工程について、図１３及び図１４を参照して説明する。まず、展開図の状態にある外導体端子２０の下壁面２４及び遮蔽部２５を折曲げ線＜１＞、＜２＞及び＜３＞に沿って内側（山折り）に折り曲げる。このとき、遮蔽部２５を構成する起立片２５ａと水平片２５ｂとが略直角に屈曲形成される（図１３（ｂ）参照）。一方、内導体端子１１，１３を誘電体１５の後方から収容部１５ａ，１５ｂへと押し込み、ケーブル側１１ａ，１３ａを挿通部１５ｃ，１５ｄへと挿通させることにより、内導体端子１１，１３を誘電体１５内に組み付けておく（図１３（ｂ）参照）。
【００４１】
次に、この組付体１１，１３，１５を側面方向から上記工程により折曲げ形成した外導体端子２０へと挿入すると（図１３（ａ）参照）、差込部１５ｅに遮蔽部２５の水平片２５ｂが嵌め込まれると共に、下段側の収容部１５ａの後面が遮蔽部２５の起立片２５ａと、誘電体１５の前方の突出部の下面が下壁面２４とそれぞれ当接する（図１３（ｂ）参照）。
【００４２】
次に、図１３（ｂ）に示す折曲げ線＜４＞、＜５＞及び＜６＞に沿って上壁面２２、側壁面２３、及び補強部２１ｇをそれぞれ内側（山折り）に折り曲げて、係止部２２ｂを溝部１５ｆに嵌め込むと共に遮蔽部２５の突起２５ｃを係止孔２１ｃに嵌め込むことにより嵌合部２０Ａを筒状に形成する。さらに、折曲げ線＜７＞に沿って前面部２１ｆを内側（山折り）に折り曲げることにより基板組付部２０Ｂの前面の開放部を閉塞する。
【００４３】
次に、折曲げ線＜８＞、＜９＞及び＜１０＞に沿って、スタビライザ２７ｃを外側（谷折り）に、側片２７及び係合片２６ａを内側（山折り）にそれぞれ折り曲げた後（図１３（ｃ）参照）、折曲げ線＜１１＞に沿って折曲げ片２６を内側（山折り）に折り曲げて誘電体１５の後面側の開放部を閉塞する。このとき、係合片２６ａ，２７ａの係合突部２６ｂ，２７ｂが基板組付部２０Ｂの係合孔２１ｂ，２３ｂに係合され、誘電体１５が抜け止めされる。以上の工程により、シールド端子１０の組み付けが完了する。
【００４４】
こうして組み付けられたシールド端子１０をハウジングに収容した後、プリント回路基板４０及び相手側のケーブル側コネクタと接続することとなるが、これの収容及び接続工程は、第１の実施の形態に係る基板コネクタ１と同じであるため説明は省略する。
【００４５】
本実施の形態に係るダイバーシティ受信機用基板コネクタは、誘電体が複数の内導体端子を一括に収容可能な構造を有しているので、内導体端子の数に応じて誘電体を個々に外導体端子内に収容する場合と比べて、部品点数の削減及びコネクタの加工工数の低減を図ることができる。また、この誘電体には外導体端子の遮蔽部を差込挿入可能な差込部が設けられているので、収容される内導体端子間の遮蔽効果も十分に得られる。
【００４６】
以上、本発明の実施の形態について説明したが、本発明に係るダイバーシティ受信機用基板コネクタは、上記実施の形態に何ら限定されるものではなく、本発明の要旨を逸脱しない範囲で種々の改変が可能である。
【００４７】
まず、上記実施の形態に係るダイバーシティ受信機用基板コネクタは、２本のアンテナケーブルとの接続が可能ないわゆる「２極型」としたが、３極以上のコネクタであっても良い。また、上記実施の形態では、プリント回路基板面に対するコネクタの専有面積を削減するためプリント回路基板面に対して略垂直な方向（縦方向）に内導体端子を複数配設させてなる「縦型」の構造としたが、これに限らず、プリント回路基板に対して略平行な方向（横方向）に内導体端子を配設させてなる「横型」の構造のものであっても良い。
【００４８】
また、上記実施の形態で示した外導体端子の展開図は図示したものに限られるものではなく、複数の内導体端子の収容が可能であり且つ各内導体端子間を電磁的に遮蔽可能なものであれば、いかなる形状を有するものであっても構わない。特に、３極以上のコネクタとなれば種々の変更が可能である。また、外導体端子の展開図から折曲げ形成体へと折り曲げる工程については、上記実施の形態で示したものに限られず種々の変更が可能である。
【００４９】
また、第２の実施の形態で示した一体型の誘電体の形態についても、図示したものに限られず、外導体端子の遮蔽部が挿入可能な差込部が設けられていれば、いかなる形状を有していても構わない。また、本実施の形態に係るダイバーシティ受信機用基板コネクタに接続されるプリント回路基板やケーブル側コネクタの形態についても、図示したものに限られず種々の形態をとりうることは言うまでもない。
【００５０】
【発明の効果】
本発明に係るダイバーシティ受信機用基板コネクタは、アンテナケーブルとプリント回路基板との間の電気信号を受け渡す役割を担う内導体端子が１つの外導体端子内に複数収容される構造を有しているので、内導体端子が外導体端子内に１つずつ収容される場合と比べて外導体端子間を隔てる隔壁（スペース）が不要となり、基板側ハウジングにおける外導体端子の収容スペースを小さくすることができる。これにより、部品点数の削減及び加工工数の低減を図ることができると共に、基板側ハウジングならびにダイバーシティ受信機用基板コネクタ全体の小型化を図ることができるという効果がある。
【００５１】
また、このコネクタに用いられる外導体端子は、一枚の導電性板材を加工形成することによって構成され、収容される複数の内導体端子間を電磁的に遮蔽するための遮蔽部を予め一体に備えているので、遮蔽部が別部材で構成されている場合のように内導体端子及び誘電体を収容した後に遮蔽部を別途取り付けるといった煩わしさが一切なく、これにより部品点数の削減及びコネクタの加工工数の低減を図ることができるという効果がある。
【００５２】
また、本発明に係るダイバーシティ受信機用基板コネクタは、略直角型構造を有する複数の内導体端子をプリント回路基板面に対して略垂直の方向（縦方向）に外導体端子内に配設させてなるシールド端子から構成されているので、基板面に対して横方向に配設させてなる場合と比べて、プリント回路基板に対する専有面積を小さくすることができるという効果がある。
【００５３】
本実施の発明に係るダイバーシティ受信機用基板コネクタは、誘電体が複数の内導体端子を一括に収容可能な構造を有しているので、内導体端子の数に応じて誘電体を個々に外導体端子内に収容する場合と比べて、部品点数の削減及びコネクタの加工工数の低減を図ることができるという効果がある。また、誘電体を１部材としても差込部を設けることにより、外導体端子と一体に備えられる遮蔽部を誘電体内に収容される複数の内導体端子間に介在させることができるので、誘電体を個々に外導体端子内に収容した場合と同等の遮蔽性能が得られるという効果もある。
【図面の簡単な説明】
【図１】本発明の第１の実施の形態に係るダイバーシティ受信機用基板コネクタの分解斜視図である。
【図２】外導体端子の展開図である。
【図３】外導体端子の折り曲げ工程を示した斜視図である。
【図４】基板側ハウジングの（ａ）横断面図、及び（ｂ）断面斜視図である。
【図５】基板側ハウジングの背面図である。
【図６】シールド端子の組付工程を示した横断面図である。
【図７】シールド端子の組付工程を示した断面斜視図である。
【図８】シールド端子を基板側ハウジングに組み付ける状態を示した断面斜視図である。
【図９】ダイバーシティ受信機用基板コネクタをプリント回路基板に組み付ける状態を示した斜視図である。
【図１０】ダイバーシティ受信機用基板コネクタに接続されるケーブル側コネクタの分解斜視図である。
【図１１】ダイバーシティ受信機用基板コネクタとケーブル側コネクタとの接続状態を示した横断面図である。
【図１２】本発明の第２の実施の形態に係るダイバーシティ受信機用基板コネクタを構成する誘電体及び内導体端子の（ａ）外観斜視図、及び（ｂ）横断面図である。
【図１３】図１２に示す誘電体及び内導体端子を収容する外導体端子の展開図である。
【図１４】内導体端子を収容した誘電体を外導体端子を組み付ける工程を示した外観斜視図である。
【図１５】図１４に示す組付工程によって得られるシールド端子の横断面図である。
【符号の説明】
１　ダイバーシティ受信機用基板コネクタ
２　ケーブル側コネクタ
１０　シールド端子
１１，１３　内導体端子
１１ａ，１３ａ　ケーブル側接続部
１１ｂ，１３ｂ　基板側接続部
１２，１４，１５　誘電体
１５ｅ　差込部
２０　外導体端子
２５　遮蔽部
２５ａ　起立片
２５ｂ　水平片
【図１】
2004055203.tif 000003
【図２】
2004055203.tif 000004
【図３】
2004055203.tif 000005
【図４】
2004055203.tif 000006
【図５】
2004055203.tif 000007
【図６】
2004055203.tif 000008
【図７】
2004055203.tif 000009
【図８】
2004055203.tif 000010
【図９】
2004055203.tif 000011
【図１０】
2004055203.tif 000012
【図１１】
2004055203.tif 000013
【図１２】
2004055203.tif 000014
【図１３】
2004055203.tif 000015
【図１４】
2004055203.tif 000016
【図１５】
2004055203.tif 000017